(57)【要約】【課題】  車両の走行中において音声および映像が含まれたコンテンツにおける映像の表示が規制されている場合においても当該コンテンツにおける音声の再生を行うことができる「車載用再生装置」を提供すること。【解決手段】  検出手段１６が車両の走行を検出した場合に映像表示手段５による映像の表示を規制するための制御を行う制御手段１５を備えた車載用再生装置１であって、前記制御手段１５は、前記検出手段１６が車両の走行を検出した場合であっても、前記映像表示手段５によるメニュー画面の映像の表示は許容すること。【選択図】      図１
2006117185.tif 000002
【特許請求の範囲】
【請求項１】
音声および映像が含まれたコンテンツにおける音声を再生する音声再生手段と、
前記コンテンツにおける映像を表示する映像表示手段と、
車両の走行を検出する検出手段と、
前記検出手段が車両の走行を検出した場合に前記映像表示手段による映像の表示を規制するための制御を行う制御手段と
を備えた車載用再生装置であって、
前記制御手段は、前記検出手段が車両の走行を検出した場合であっても、前記映像表示手段によるメニュー画面の映像の表示は許容すること
を特徴とする車載用再生装置。
【請求項２】
前記制御手段は、前記検出手段が車両の走行を検出した場合における前記映像表示手段による前記メニュー画面の映像の表示のための制御を行った場合において、前記メニュー画面の操作の完了を検出すると、前記映像表示手段による映像の表示を規制するように制御を切換えることを特徴とする請求項１に記載の車載用再生装置。
【請求項３】
前記コンテンツはＤＶＤであることを特徴とする請求項１または請求項２に記載の車載用再生装置。
【請求項４】
前記ＤＶＤの再生中に、前記ＤＶＤのメニュー画面を検出するメニュー画面検出手段を備え、
前記制御手段は、車両の走行中に前記メニュー画面検出手段が前記ＤＶＤのメニュー画面を検出したときに、前記映像表示手段による映像の表示の規制を解除するための制御を行うこと
を特徴とする請求項３に記載の車載用再生装置。
【発明の詳細な説明】
【技術分野】
【０００１】
本発明は、車載用再生装置に係り、特に、車内においてＤＶＤ等の音声および映像が含まれたコンテンツを再生することによって、当該コンテンツにおける音声の再生と映像の表示とを行うのに好適な車載用再生装置に関する。
【背景技術】
【０００２】
従来から、ＤＶＤナビゲーション装置や車載用テレビ装置等の車載用再生装置においては、車両の走行中にモニタに映像が表示されることによって運転操作に対する注意力が削がれることを防止するために、車両の走行中においては、モニタへの映像の表示を規制することが行われていた。
【０００３】
【特許文献１】実開昭５７−１６６４６５号公報
【発明の開示】
【発明が解決しようとする課題】
【０００４】
然るに、運転中に映像を表示することは、運転の安全性の観点から問題があるが、音楽を聴取する分には悪影響はなく、却って運転者のストレスを緩和して安全な運転を行わしめることができる。
【０００５】
そこで、例えば、ＤＶＤのミュージッククリップや動画の音声など、法規制内で音声のみを再生する場合、ＤＶＤの挿入後に直ちに本編が再生されるような再生装置を用いない限り、音声を再生させるためにはメニュー画面を使った操作が必要となる。
【０００６】
しかしながら、前述のように、映像の表示をすべて規制している現状においては、メニュー画面の表示をも規制されることになり、音声のみを再生することができないといった問題が生じてしまう。
【０００７】
そこで、本発明は、このような問題に鑑みなされたものであり、車両の走行中において音声および映像が含まれたコンテンツにおける映像の表示が規制されている場合においても、当該コンテンツにおける音声の再生を行うことができる車載用再生装置を提供することを目的とするものである。
【課題を解決するための手段】
【０００８】
前述した目的を達成するため、本発明に係る車載用再生装置の特徴は、音声および映像が含まれたコンテンツにおける音声を再生する音声再生手段と、前記コンテンツにおける映像を表示する映像表示手段と、車両の走行を検出する検出手段と、前記検出手段が車両の走行を検出した場合に前記映像表示手段による映像の表示を規制するための制御を行う制御手段とを備えた車載用再生装置であって、前記制御手段は、前記検出手段が車両の走行を検出した場合であっても、前記映像表示手段によるメニュー画面の映像の表示は許容する点にある。
【０００９】
そして、このような構成によれば、検出手段が車両の走行を検出した場合であっても、制御手段による制御によって、映像表示手段によるメニュー画面の映像の表示を許容することが可能となる。
【００１０】
また、本発明に係る車載用再生装置の特徴は、制御手段は、検出手段が車両の走行を検出した場合における映像表示手段によるメニュー画面の映像の表示のための制御を行った場合において、前記メニュー画面の操作の完了を検出すると、前記映像表示手段による映像の表示を規制するように制御を切換える点にある。
【００１１】
そして、このような構成によれば、制御手段による制御によって、メニュー画面の操作が完了した後は、確実に映像の表示を規制することが可能となる。
【００１２】
さらに、本発明に係る車載用再生装置の特徴は、コンテンツがＤＶＤである点にある。
【００１３】
そして、このような構成によれば、制御手段による制御によって、車両の走行時においてもＤＶＤのメニュー画面の映像を表示させることが可能となる。
【００１４】
さらにまた、本発明に係る車載用再生装置の特徴は、ＤＶＤの再生中に、前記ＤＶＤのメニュー画面を検出するメニュー画面検出手段を備え、制御手段は、車両の走行中に前記メニュー画面検出手段が前記ＤＶＤのメニュー画面を検出したときに、映像表示手段による映像の表示の規制を解除するための制御を行う点にある。
【００１５】
ここで、「再生中」とは、ＤＶＤの映像や音声が実際に視認あるいは聴取できる状態に出力されている場合のみならず、その前段階の状態、すなわちＤＶＤが起動されてデータが読み取られているときの状態（リードイン状態）をも含むものとする（以下、同様）。
【００１６】
そして、このような構成によれば、メニュー画面検出手段によって、ＤＶＤのメニュー画面を確実に検出することが可能になるとともに、制御手段によって、メニュー画面の検出にともなって映像の表示規制を即時に解除することが可能となる。
【発明の効果】
【００１７】
本発明に係る車載用再生装置によれば、検出手段が車両の走行を検出した場合であっても、制御手段による制御によって、映像表示手段によるメニュー画面の映像の表示を許容することができる結果、車両の走行中において音声および映像が含まれたコンテンツにおける映像の表示が規制されている場合においても、メニュー画面に基づく操作を行って当該コンテンツにおける音声の再生を行うことができる。
【００１８】
また、本発明に係る車載用再生装置によれば、制御手段による制御によって、メニュー画面の操作が完了した後は、確実に映像の表示を規制することができる結果、運転の安全性をさらに向上することができる。
【００１９】
さらに、本発明に係る車載用再生装置によれば、制御手段による制御によって、車両の走行時においてもＤＶＤのメニュー画面の映像を表示させることができる結果、ＤＶＤの映像の表示が規制されている場合においても、ＤＶＤの音声を聴取することができる。
【００２０】
さらにまた、本発明に係る車載用再生装置によれば、メニュー画面検出手段によって、ＤＶＤのメニュー画面を確実に検出することができるとともに、制御手段によって、メニュー画面の検出にともなって映像の表示規制を即時に解除することができる結果、車両の走行中にＤＶＤの映像の表示が規制される場合においても、ＤＶＤのメニュー画面を即時に表示させることによってＤＶＤの音声をより迅速に再生させることができる。
【発明を実施するための最良の形態】
【００２１】
以下、本発明に係る車載用再生装置の実施形態について、図１および図２を参照して説明する。
【００２２】
図１に示すように、本実施形態における車載用再生装置１は、音声および映像が含まれたコンテンツとしてのＤＶＤディスク２の圧縮された音声データおよび映像データを読み出すＤＶＤドライブ３を有しており、このＤＶＤドライブ３は、読み出した音声データおよび映像データを出力するようになっている。
【００２３】
なお、本実施形態において、前記映像データには、メニュー画面を表示することを内容とした映像データが含まれている。
【００２４】
ＤＶＤドライブ３の出力側には、再生メインユニット４が接続されており、この再生メインユニット４は、ＤＶＤドライブ３から出力された音声データおよび映像データを読み込むとともに、各データを再生するための種々の制御を行うようになっている。
【００２５】
再生メインユニット４の出力側には、映像表示手段としてのディスプレイ５が接続されており、このディスプレイ５は、再生メインユニット４による制御の下で、再生メインユニット４から出力される映像データを表示するようになっている。
【００２６】
なお、本実施形態において、ディスプレイ５は、メニュー画面としてタッチパネルの操作画面を表示可能とされており、この操作画面のユーザによる操作に応じて、タッチパネル検出信号が再生メインユニット４に出力されるようになっている。
【００２７】
また、再生メインユニット４の出力側には、音声再生手段としてのスピーカ７が接続されており、このスピーカ７は、再生メインユニット４による制御の下で、再生メインユニット４から出力された音声データを音声出力するようになっている。
【００２８】
再生メインユニット４についてさらに詳述すると、この再生メインユニット４は、ＤＶＤドライブ３の出力側にデコーダ８を有しており、このデコーダ８は、再生メインユニット４内に読み込まれた圧縮された音声データおよび映像データを伸張した後にシステムバス９を介してさらにユニット内部に出力するようになっている。
【００２９】
また、再生メインユニット４は、メモリ１０を有しており、このメモリ１０には、音声データおよび映像データが一時的に格納されるようになっている。
【００３０】
さらに、再生メインユニット４は、スピーカ７の入力側にＤ／Ａ１１（デジタル−アナログ変換器）を有しており、このＤ／Ａ１１は、デコーダ８から出力された音声データをシステムバス９を介して入力するとともに、入力した当該音声データをアナログに変換した後にスピーカ７に出力するようになっている。
【００３１】
さらにまた、再生メインユニット４は、ディスプレイ５の入力側にＤ／Ａ１２を有しており、このＤ／Ａ１２は、デコーダ８から出力された映像データをシステムバス９を介して入力するとともに、入力した当該映像データをアナログに変換した後にディスプレイ５に出力するようになっている。
【００３２】
また、再生メインユニット４は、ディスプレイ５の出力側に、ユーザインターフェース１４を有しており、このユーザインターフェース１４には、タッチパネルの操作によって出力された前記タッチパネル検出信号が入力されるようになっている。ユーザインターフェース１４は、タッチパネル検出信号をシステムバス９を介してさらにユニット内部に出力するようになっている。
【００３３】
さらに、再生メインユニット４は、制御手段としてのＣＰＵ１５を有しており、このＣＰＵ１５の入力側には、車両の走行を検出する検出手段としての車速センサ１６が接続されている。
【００３４】
車速センサ１６は、車両の走行を検出すると、検出結果をＣＰＵ１５に出力するようになっている。
【００３５】
そして、ＣＰＵ１５は、車速センサ１６が車両の走行を検出した場合には、ディスプレイ５に表示規制信号を出力することによって、映像データの表示を規制するようになっている。
【００３６】
これにより、原則的に車両の走行中にはディスプレイ５によるＤＶＤの映像は表示されないことになり、運転の安全性が確保されることになる。
【００３７】
ただし、本実施形態において、ＣＰＵ１５は、車速センサ１６が車両の走行を検出した場合であっても、ディスプレイ５によるメニュー画面の映像の表示は許容するようになっている。
【００３８】
すなわち、ＣＰＵ１５は、ＤＶＤのメニュー画面を検出するメニュー画面検出としても機能し、メモリ１０内に一時的に格納された映像データからＤＶＤのメニュー画面を表示することを内容としたデータを確実に検出するようになっている。そして、ＣＰＵ１５は、メニュー画面を検出した場合には、車両が走行中の場合であっても、ディスプレイ５に表示規制解除信号を出力して表示規制を解除することにより、当該メニュー画面の映像をディスプレイ５に表示させるための制御を行うようになっている。
【００３９】
これにより、運転中にＤＶＤの本編映像を見ることができなくても、メニュー画面の映像を検出後に即時に表示させることができるため、メニュー画面の操作を通じてＤＶＤの音声を迅速に再生させることができる。
【００４０】
さらに、本実施形態において、ＣＰＵ１５は、前述のようにメニュー画面の映像をディスプレイ５に表示させるための制御を行った場合に、メニュー画面の操作が完了したことをディスプレイ５からのタッチパネル検出信号に基づいて検知するようになっている。
【００４１】
そして、ＣＰＵ１５は、メニュー画面の操作が完了した場合には、ディスプレイ５に表示規制解除終了信号を出力することによって、映像データの表示を規制するように制御を切換えるようになっている。
【００４２】
これにより、メニュー画面の操作が完了したら、確実に映像データの表示を規制することができる。
【００４３】
次に、本実施形態の作用について説明する。
【００４４】
なお、便宜上、初期状態において、ＣＰＵ１５からディスプレイ５に対しては、表示規制信号が出力されており、映像データの表示が規制されているものとする。
【００４５】
そして、初期状態から、ＤＶＤの再生を開始すると、まず、図２のステップ１（ＳＴ１）に示すように、ＤＶＤドライブ３からＤＶＤディスク２に格納された音声データおよび映像データを読み込むとともに、車速センサ１６の検出結果を取得する。
【００４６】
次いで、ステップ２（ＳＴ２）において、ＣＰＵ１５により、車両が現在走行中であるか否かを車速センサ１６の検出結果に基づいて判定し、走行中である場合にはステップ３（ＳＴ３）に進み、走行中でない場合にはステップ４（ＳＴ４）に進む。
【００４７】
ステップ３（ＳＴ３）においては、映像データの内容がメニュー画面であるか否かを判定し、メニュー画面である場合はステップ４（ＳＴ４）に進み、メニュー画面でない場合にはステップ７（ＳＴ７）に進む。
【００４８】
一方、ステップ４（ＳＴ４）においては、ＣＰＵ１５からディスプレイ５に対して表示規制解除信号を出力することによって、映像データの表示の規制を解除し、ディスプレイ５による映像データの表示とスピーカ７による音声データの再生とを併せて実行する。
【００４９】
次いで、ステップ５（ＳＴ５）においては、現在表示されている映像データがメニュー画面であるか否かを判定し、メニュー画面である場合にはステップ６（ＳＴ６）に進み、メニュー画面でない場合にはステップ１（ＳＴ１）に戻る。
【００５０】
次いで、ステップ６（ＳＴ６）においては、ＣＰＵ１５により、メニュー画面の操作が完了したか否かをタッチパネル検出信号に基づいて判定し、完了した場合にはステップ７（ＳＴ７）に進み、完了していない場合には同じ判定を繰り返し行う。
【００５１】
次いで、ステップ７（ＳＴ７）においては、ＣＰＵ１５からディスプレイ５に対して表示規制解除終了信号を出力することによって、再び映像データの表示を規制してステップ１（ＳＴ１）に戻る。
【００５２】
したがって、本実施形態によれば、車速センサ１６が車両の走行を検出した場合であっても、ＣＰＵ１５による制御によって、ディスプレイ５によるメニュー画面の映像の表示を許容することができる結果、車両の走行中においてＤＶＤにおける映像の表示が規制されている場合においても音声の再生を行うことができる。
【００５３】
なお、本発明は、前述した実施の形態に限定されるものではなく、必要に応じて種々の変更が可能である。
【００５４】
例えば、本発明における車載用再生装置を、ＤＶＤナビゲーション装置等のナビゲーション装置と連動させるようにしてもよいことは勿論である。この場合、車速センサ１６に代わってＧＰＳ等の自車位置取得手段によって車両の走行を検出するようにしてもよい。
【００５５】
また、コンテンツは、音声データおよび映像データを含むものであれば、ＤＶＤに限る必要はない。例えば、デジタルテレビジョン放送において、車両の走行中には、メニュー画面としての電子番組ガイド（ＥＰＧ）の操作画面のみを表示し、放送内容自体については、映像の表示を規制して音声のみを出力させるようにしてもよい。
【００５６】
さらに、メニュー画面の操作は、タッチパネルに限らず、リモコンユニットやロータリエンコーダ等の他の操作手段を介して行うようにしてもよい。
【図面の簡単な説明】
【００５７】
【図１】本発明に係る車載用再生装置の実施形態を示すブロック図
【図２】本発明に係る車載用再生装置の実施形態において、動作の流れを示すフローチャート
【符号の説明】
【００５８】
１  車載用再生装置
２  ＤＶＤディスク
４  再生メインユニット
５  ディスプレイ
７  スピーカ
１５  ＣＰＵ
１６  車速センサ
【図１】
2006117185.tif 000003
【図２】
2006117185.tif 000004